【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
下記の成分を含むギヤ油添加剤組成物：
ａ）下記式の多硫化ジアルキル化合物または多硫化ジアルキル化合物の混合物を３０質量％以上含む有機多硫化物、
Ｒ1−(Ｓ)X−Ｒ2
［式中、Ｒ1およびＲ2は独立に、炭素原子数約４〜１２のアルキル基であり、そしてｘは約４又はそれ以上である］
ｂ）チアジアゾール、および
ｃ）少なくとも一種の無灰リン含有摩耗防止剤化合物。
【請求項２】
組成物が、約３５乃至７５質量％の有機多硫化物、約０．５乃至１５質量％のチアジアゾール、および約５．０乃至４０質量％の無灰リン含有摩耗防止剤化合物を含む請求項１に記載のギヤ油添加剤組成物。
【請求項３】
さらに、アルケニルコハク酸イミド、他の有機化合物で変性したアルケニルコハク酸イミド、エチレンカーボネートまたはホウ酸による後処理で変性したアルケニルコハク酸イミド、ペンタエリトリトールアルケニルスクシネート、フェネート−サリチレートおよびそれらの後処理類似物、アルカリ金属または混合アルカリ金属、アルカリ土類金属のホウ酸塩、水和アルカリ金属ホウ酸塩の分散物、アルカリ土類金属ホウ酸塩の分散物、ポリアミド無灰分散剤、またはそのような分散剤の混合物からなる群より選ばれる分散添加剤を含む請求項１に記載のギヤ油添加剤組成物。
【請求項４】
分散添加剤が約３．０乃至４５質量％の範囲にて存在する請求項３に記載のギヤ油添加剤組成物。
【請求項５】
有機多硫化物が約４５乃至７０質量％にて存在する請求項１に記載のギヤ油添加剤組成物。
【請求項６】
有機多硫化物が約５０乃至６５質量％存在する請求項１に記載のギヤ油添加剤組成物。
【請求項７】
有機多硫化物が、多硫化ジアルキル化合物または多硫化ジアルキル化合物の混合物を少なくとも４０質量％含む請求項１に記載のギヤ油添加剤組成物。
【請求項８】
有機多硫化物が、多硫化ジアルキル化合物または多硫化ジアルキル化合物の混合物を少なくとも５０質量％含む請求項１に記載のギヤ油添加剤組成物。
【請求項９】
有機多硫化物が、多硫化ジアルキル化合物または多硫化ジアルキル化合物の混合物を少なくとも５５質量％含む請求項１に記載のギヤ油添加剤組成物。
【請求項１０】
Ｒ1およびＲ2が独立に、炭素原子数約４〜１０のアルキル基である請求項１に記載のギヤ油添加剤組成物。
【請求項１１】
Ｒ1およびＲ2が独立に、炭素原子数約４〜６のアルキル基である請求項１に記載のギヤ油添加剤組成物。
【請求項１２】
Ｒ1およびＲ2がそれぞれ、tert−ブチル基である請求項１に記載のギヤ油添加剤組成物。
【請求項１３】
ｘが約４〜８である請求項１に記載のギヤ油添加剤組成物。
【請求項１４】
ｘが約４〜７である請求項１に記載のギヤ油添加剤組成物。
【請求項１５】
有機多硫化物が多硫化ジ−tert−ブチルである請求項１に記載のギヤ油添加剤組成物。
【請求項１６】
有機多硫化物が、三硫化、四硫化及び五硫化ジ−tert−ブチルの混合物である請求項１に記載のギヤ油添加剤組成物。
【請求項１７】
チアジアゾールが約０．７乃至１２質量％にて存在する請求項１に記載のギヤ油添加剤組成物。
【請求項１８】
チアジアゾールが約１．０乃至１０質量％にて存在する請求項１に記載のギヤ油添加剤組成物。
【請求項１９】
チアジアゾールが、２，５−ジメルカプト−１，３，４−チアジアゾール、２−メルカプト−５−ヒドロカルビルチオ−１，３，４−チアジアゾール、２−メルカプト−５−ヒドロカルビルジチオ−１，３，４−チアジアゾール及び２，５−ビス（ヒドロカルビルジチオ）−１，３，４−チアジアゾールのうちの少なくとも一種からなる請求項１に記載のギヤ油添加剤組成物。
【請求項２０】
無灰リン含有摩耗防止剤化合物が約７．０乃至３５質量％にて存在する請求項１に記載のギヤ油添加剤組成物。
【請求項２１】
無灰リン含有摩耗防止剤化合物が約１０乃至３５質量％にて存在する請求項１に記載のギヤ油添加剤組成物。
【請求項２２】
無灰リン含有摩耗防止剤化合物が、アミノリン化合物および亜リン酸トリアルキルからなる群より選ばれる少なくとも一種の化合物である請求項１に記載のギヤ油添加剤組成物。
【請求項２３】
アミノリン化合物がジチオリン酸アミンである請求項２２に記載のギヤ油添加剤組成物。
【請求項２４】
亜リン酸トリアルキルが亜リン酸トリラウリルである請求項２２に記載のギヤ油添加剤組成物。
【請求項２５】
亜リン酸トリアルキルが、少なくとも７５質量％の構造式（ＲＯ）3Ｐ（ただし、Ｒは炭素原子数約４〜２４の炭化水素基である）を含む請求項２２に記載のギヤ油添加剤組成物。
【請求項２６】
下記の成分を含むギヤ油組成物：
ａ）主要量の潤滑粘度の基油、および
ｂ）下記の成分からなる少量のギヤ油添加剤組成物：
（ｉ）下記式の多硫化ジアルキル化合物または多硫化ジアルキル化合物の混合物を３０質量％以上含む有機多硫化物、
Ｒ1−(Ｓ)X−Ｒ2
［式中、Ｒ1およびＲ2は独立に炭素原子数約４〜１２のアルキル基であり、そしてｘは約４又はそれ以上である］
（ii）チアジアゾール、および
（iii）少なくとも一種の無灰リン含有摩耗防止剤化合物。
【請求項２７】
組成物が、約０．１乃至３．６質量％の有機多硫化物、約０．０１乃至０．６質量％のチアジアゾール、および約０．１乃至２．５質量％の無灰リン含有摩耗防止剤化合物を含む請求項２６に記載のギヤ油組成物。
【請求項２８】
さらに、アルケニルコハク酸イミド、他の有機化合物で変性したアルケニルコハク酸イミド、エチレンカーボネートまたはホウ酸による後処理で変性したアルケニルコハク酸イミド、ペンタエリトリトールアルケニルスクシネート、フェネート−サリチレートおよびそれらの後処理類似物、アルカリ金属または混合アルカリ金属、アルカリ土類金属のホウ酸塩、水和アルカリ金属ホウ酸塩の分散物、アルカリ土類金属ホウ酸塩の分散物、ポリアミド無灰分散剤、またはそのような分散剤の混合物からなる群より選ばれた分散添加剤を含む請求項２６に記載のギヤ油組成物。
【請求項２９】
分散添加剤が約０．１乃至２．７質量％の範囲にて存在する請求項２８に記載のギヤ油組成物。
【請求項３０】
有機多硫化物が約０．６乃至２．５質量％にて存在する請求項２６に記載のギヤ油組成物。
【請求項３１】
有機多硫化物が約１．５乃至２．２質量％にて存在する請求項２６に記載のギヤ油組成物。
【請求項３２】
有機多硫化物が、多硫化ジアルキル化合物または多硫化ジアルキル化合物の混合物を少なくとも４０質量％含む請求項２６に記載のギヤ油組成物。
【請求項３３】
有機多硫化物が、多硫化ジアルキル化合物または多硫化ジアルキル化合物の混合物を少なくとも５０質量％含む請求項２６に記載のギヤ油組成物。
【請求項３４】
有機多硫化物が、多硫化ジアルキル化合物または多硫化ジアルキル化合物の混合物を少なくとも５５質量％含む請求項２６に記載のギヤ油組成物。
【請求項３５】
Ｒ1およびＲ2が独立に、炭素原子数約４〜１０のアルキル基である請求項２６に記載のギヤ油組成物。
【請求項３６】
Ｒ1およびＲ2が独立に、炭素原子数約４〜６のアルキル基である請求項２６に記載のギヤ油組成物。
【請求項３７】
Ｒ1およびＲ2がそれぞれ、tert−ブチル基である請求項２６に記載のギヤ油組成物。
【請求項３８】
ｘが約４〜８である請求項２６に記載のギヤ油組成物。
【請求項３９】
ｘが約４〜７である請求項２６に記載のギヤ油組成物。
【請求項４０】
有機多硫化物が多硫化ジ−tert−ブチルである請求項２６に記載のギヤ油組成物。
【請求項４１】
有機多硫化物が、三硫化、四硫化及び五硫化ジ−tert−ブチルの混合物である請求項２６に記載のギヤ油組成物。
【請求項４２】
チアジアゾールが約０．０５乃至０．４質量％存在する請求項２６に記載のギヤ油組成物。
【請求項４３】
チアジアゾールが約０．１乃至０．３質量％存在する請求項２６に記載のギヤ油組成物。
【請求項４４】
チアジアゾールが、２，５−ジメルカプト−１，３，４−チアジアゾール、２−メルカプト−５−ハイドロカルビルチオ−１，３，４−チアジアゾール、２−メルカプト−５−ハイドロカルビルジチオ−１，３，４−チアジアゾール及び２，５−ビス（ハイドロカルビルジチオ）−１，３，４−チアジアゾールのうちの少なくとも一種からなる請求項２６に記載のギヤ油組成物。
【請求項４５】
無灰リン含有摩耗防止剤化合物が約０．２乃至１．７質量％にて存在する請求項２６に記載のギヤ油組成物。
【請求項４６】
無灰リン含有摩耗防止剤化合物が約０．５乃至１．２質量％にて存在する請求項２６に記載のギヤ油組成物。
【請求項４７】
無灰リン含有摩耗防止剤化合物が、アミノリン化合物および亜リン酸トリアルキルからなる群より選ばれる少なくとも一種の化合物である請求項２６に記載のギヤ油組成物。
【請求項４８】
アミノリン化合物がジチオリン酸アミンである請求項４７に記載のギヤ油組成物。
【請求項４９】
亜リン酸トリアルキルが亜リン酸トリラウリルである請求項４７に記載のギヤ油組成物。
【請求項５０】
亜リン酸トリアルキルが、少なくとも７５質量％の構造式（ＲＯ）3Ｐ（ただし、Ｒは
炭素原子数約４〜２４の炭化水素基である）を含む請求項４７に記載のギヤ油組成物。
【請求項５１】
塩素レベルが５０ｐｐｍ未満である請求項２６に記載のギヤ油組成物。
【請求項５２】
車軸および変速機内の黄色金属腐食を低減する方法であって、車軸および変速機の金属構成部分に下記の成分を含むギヤ油組成物を接触させることからなる方法：
ａ）主要量の潤滑粘度の基油、および
ｂ）下記の成分からなる少量のギヤ油添加剤組成物：
（ｉ）下記式の多硫化ジアルキル化合物または多硫化ジアルキル化合物の混合物を３０質量％以上含む有機多硫化物、
Ｒ1−(Ｓ)X−Ｒ2
［式中、Ｒ1およびＲ2は独立に炭素原子数約４〜約１２のアルキル基であり、そしてｘは約４又はそれ以上である］
（ii）チアジアゾール、および
（iii）少なくとも一種の無灰リン含有摩耗防止剤化合物。